(57)【要約】【課題】ルアーヘッドを構成している材料の光の反射に頼らず、ルアーヘッド自体が発光して対象魚を誘惑しながら食餌魚の泳層にルアーを泳がせ、漁場で得られた食餌魚の動きに疑似した運動性能をルアー先端部の交換で引き出す事が出来る構造を有するルアーヘッドを最大の特徴とする。【解決手段】市販の化学発光体をルアーヘッド本体に内蔵でき、バランサーにより表層から１０ｍまでの水深に補助具なしで潜水可能とし、更にヘッド先端部分を交換して食餌魚の泳ぎ方に疑似させる２分割構造のルアーヘッドである。【選択図】　　図２
2004024153.tif 000002
【特許請求の範囲】
【請求項１】
後部にビニール製のスカートが取付けられると共にリードラインを通す孔が中心軸線又は中心軸線に平行にルアー本体を貫通するルアーヘッドにおいて、棒状の化学発光体（例えば商品名ケミホタル等）を透明系硬質樹脂（例えばアクリル等）で作成したルアーヘッド内部に設置可能とする第１の領域と、ルアーヘッド内部にルアーの重量調整用バランサーを設置可能とする第２の領域、及び形状が異なる先端部（トップ部）がヘッド胴体部に着脱交換出来る構造による第３の領域を有する事を特徴とするルアーヘッド。
【発明の詳細な説明】
【０００１】
【発明が属する技術分野】この発明はルアーヘッドに関し、更に詳細には海水域及び陸水域におけるトローリング・曳き釣りをはじめとする、ルアーフィシングの疑似餌に供するルアーヘッドに関するものである。
【０００２】
【従来の技術】従来のルアーフィシング（疑似餌による釣り）における対象魚（マグロ類やブリ・ヒラマサ・シイラ等の青魚類及び鮭・鱒類等々）は水中で餌となる魚体の反射光や泳ぎ方に反応して捕食する習性があり、この習性を利用した疑似餌（ルアー）には餌魚に似せた光沢の材料によりルアーヘッドを作成している。この材料には天然貝類・動物の角や牙類・合成樹脂類が有り、夫々の材料固有の光による反射を疑似の重点に置いている。
【０００３】トローリング・曳き釣りをはじめとするルアーフィシングでは、対象魚の泳層を水面付近（水深１ｍ前後）に設定し、ルアーを泳がせるのが一般的ではあるが、天候・時間帯・水温・潮流・食餌魚等により泳層が深くなる場合がある。この場合はルアーを潜水させる為の補助具（錘・潜水板等）を使用するが、補助具の水圧抵抗により釣竿や釣糸（ライン）に大きな荷重が掛かり、場合に依っては釣竿（ロッド）の使用が出来ない状態も生じている。
【０００４】また、ルアーヘッドの反射光による効果以外にはルアーの運動（泳ぎ方）が挙げられる。これは食餌となる魚の泳ぎ方に酷似させたり、動きそのものにより対象魚を幻惑させる事が目的であるが、従来技術ではルアー先端部の形状は固定されているので動き方が制約されている。この為に漁場で得られたデータにより、対象魚に対応する餌魚に疑似したルアーの運動性能を得る為の先端形状の異なるルアーを複数個準備して対応している。
【０００５】
【発明が解決しようとする課題】
【０００６】しかしながら、以上の従来技術によれば、光の反射に依る疑似効果は天候が雨天・曇天であったり、日の出前・日没後及び夜間、及び対象魚の泳層が深くなるに比例して入射光の減衰が激しくルアーヘッドを構成する材料の反射効果を著しく損なうか又は全く効果が得られない。
【０００７】また、目まぐるしく変る餌魚の泳層やその時の食餌となっている魚の種類の泳ぎ方に類似したルアーの運動性能や餌魚の泳層にルアーを泳がせる事が要求される。
【０００８】そこで、この発明は全天候型、日の出前・日没後及び夜間使用、表層から水深１０ｍ位まで補助具なしで使用可能、餌魚に疑似したルアーの運動性能等の複数条件を最小限の部品で交換等の作業が現場で簡単に出来るルアーヘッドを提供する事を課題とする。
【０００９】
【課題を解決するための手段】
以上の課題を解決するために、本発明は後部にビニール製のスカートが取付けられると共にリードラインを通す孔が中心軸線又は中心軸線に平行にルアー本体を貫通するルアーヘッドにおいて、棒状の化学発光体（例えば商品名ケミホタル等）を透明系硬質樹脂（例えばアクリル等）で作成したルアーヘッド内部に設置可能とする第１の領域と、ルアーヘッド内部にルアーの重量調整用バランサーを設置可能とする第２の領域、及び形状が異なる先端部（トップ部）がヘッド胴体部に着脱交換出来る構造による第３の領域を有する事を最も特徴とする。
【００１０】
【発明の実施の形態】
この発明の実施形態を、添付図に基づいて説明する。
【００１１】図１は本発明に係るルアーヘッドを使用したルアー本体を示す正面図であり、化学発光体４本（３）、重量調整用のバランサー１個（２）を胴体部に挿入した後、ヘッド先端部（１）と胴体部（４）の間にシール用のゴムパッキング（Ｃ）を挿入して組立てて、ルアーヘッド本体のテール部には市販のビニール製スカート「イカベイト」（７）を装着した図である。ルアーヘッドの中心軸線上の（６）はルアーを泳がせる為のリーダーラインを通す貫通孔で、リーダーラインの後端には釣針（フック）が取付けられてスカート内部に位置される。
【００１２】図２は本発明によるルアーヘッドのそれぞれの部品に分解した状態を示す。胴体部（４）の外形と同心円上で均等に４分割した孔（３ａ）に４本の化学発光体（３）を挿入し、ルアー胴体部の中心軸線上に加工したバランサーの挿入孔（止まり孔）に所望の重量のバランサー（２）を挿入する。またトップ部（１）にゴムパッキング（Ｃ）を挿入した後、胴体部（４）に挿入して取付孔（５ｃ）を介して取付ネジ（５ｂ）で両側より取付ネジ孔（５ａ）に固定する。
【００１３】図３（ａ）はゴムパッキング（Ｃ）の断面、図３（ｂ）はルアーヘッド胴体部（４）のＡ−Ａ断面を示す。
【００１４】以上のルアーヘッドを構成する部品の作成工程を詳述する。
【００１５】図４は胴体部の加工工程図である。工程１でアクリル材を所定の寸法に旋盤にて加工し、次に中心軸上にリーダーライン用の貫通孔を開ける。工程３でフライス盤により中心軸線上にバランサーの設置穴（止まり孔）を加工してから、工程４で４個の化学発光体の挿入孔（止まり孔）をドリル加工する。工程５及び６でヘッド先端部（トップ部）を挿入固定する「皿ネジ孔」を加工して工程７及び８でスカート取付部の加工により胴体部が完成する。
この胴体部の特徴としては、化学発光体の挿入孔を「止まり孔」にして水密性を高めてある事とバランサー交換によりヘッドの重量が可変できる事に加えて、トップ部の挿入固定用「皿ネジ孔」に黒色ステンレス皿ネジを挿入する事によりネジ頭がルアーの魚眼の役目を果たす事が出来る。
【００１６】図５はトップ部の加工工程を示す。工程１でアクリル材を所定の寸法に旋盤にて加工し、次に中心軸上にリーダーライン用の貫通孔を開ける。工程３で胴体部に挿入する部分の加工を行い、工程４でボール盤により固定ネジ孔加工をする。工程５ではそれぞれのトップ形状に仕上る。工程５ａから５ｃはフライス盤と旋盤加工により形成され５ｄと５ｅは旋盤加工で形成される。
【００１７】トップ形状による運動性能は次の特徴を有する。
５ａは潜水性能、５ｂは潜水中に頭部を左右に振る、５ｃは頭部を左右に振りながら、波及び海流の抵抗により不規則な運動をする。５ｄは直進性に優れ、５ｅは直進しながら、波及び海流の抵抗により不規則な運動をする。これらの運動はスカートを取付ける事により食餌魚の動きに一層疑似する事になる。
【００１８】図６（ａ）は化学発光体孔の水密性を高めるゴムパッキング，図６（ｂ）はバランサー、図６（ｃ）は化学発光体の外形を示す。バランサーは比重の高い順から鉛・銅・ステンレス・アルミ・アクリル等を同一外形寸法に加工して所望の重量を選択する。化学発光体は市販各社が類似の寸法で発光色も各種販売されている物から選択する。
【００１９】
【発明の効果】
以上説明したように、この発明によれば材料の反射光に頼らず、化学発光体の発光により対象魚を誘惑し、先端形状による運動性能が食餌魚を連想させ、加えて食餌魚の泳層でルアーを泳がせる事により、釣果を上げる事が可能となった。ルアー自体が発光するこの発明は、食餌活動が最も盛んである「日の出前・日没直前」低気圧の接近又は通過直後の不安定な天候（曇天・雨天）にも充分な効果を発揮する事がルアーフィシングの範囲を拡大出来る。
【００２０】更に化学発光体は発光開始から約６時間は発光照度が充分であり、途中で１回の交換をすれば一日の釣り時間はカバー出来る。
【００２１】課題であった「漁場での簡単な交換作業」も２本のネジにより、化学発光体・バランサー及びヘッド先端部の着脱交換が１〜２分以内で可能となり、漁場における状況変化に迅速に対応出来る。
【００２２】更に鉛・銅のバランサーを使用して船速を２〜３ノット前後にすれば、ルアーは約７〜１０ｍ位に潜行して課題を解決出来た。これ以上の潜行についても、補助具の併用により釣竿やラインの負担を考慮すれば充分可能となった。
【００２３】化学発光体の発光色（蛍光・赤色・他）と対象魚の種類への効果は今後のデータ蓄積が必要であるが、光に反応する事は既知の事実であり、海水魚・陸水魚への応用は拡大できる。
【００２４】試作品による試釣では（直径１５ｍｍ、長さ４０ｍｍ、トップ形状５ｃ、ステンレスバランサー、蛍光色発光体、日の出前、水深設定３ｍ）の条件で７ｋｇクラスのブリに効果があった。
【図面の簡単な説明】
【図１】本発明に係るルアーヘッドを示すルアー全体図である。
【図２】本発明のルアーヘッドの分解図である。
【図３】図２のゴムパッキング（Ｃ部）断面と胴体部（４）のＡ−Ａ断面である。
【図４】胴体部の加工工程図である。
【図５】先端部（トップ部）の加工工程図と先端形状（トップ部）の種類を示す。
【図６】ゴムパッキング、バランサー及び化学発光体の外形図である。
【符号の説明】
１　　ルアーヘッド先端部（トップ部）
２　　重量調整用バランサー
３　　化学発光体
４　　ルアーヘッド胴体部
５ａ　取付ネジ孔
５ｂ　黒色ステンレス皿ネジ
５ｃ　取付孔
６　　貫通孔
７　　ビニール製スカート
Ｃ　　ゴムパッキング
【図１】
2004024153.tif 000003
【図２】
2004024153.tif 000004
【図３】
2004024153.tif 000005
【図４】
2004024153.tif 000006
【図５】
2004024153.tif 000007
【図６】
2004024153.tif 000008